(57)【要約】 【課題】  涙滴形状の球止め部材において、遊技球をより減勢するパチンコ遊技機を提供する。【解決手段】球止めゴム１１は、円弧とＶ字とを組合わせてなる涙滴形状に形成され、パチンコ機１０の遊技盤１５に設けられている。球止めゴム１１は、そのＶ字の頂線２８ａから延びる一側面部である反射部３３に遊技球３４を衝突させて減勢する。球止めゴム１１は、合成ゴムから成り、遊技盤１５に固定するための固定部材２６を挿通させる固定穴部３０と、固定穴部３０回りの位置を決めるための位置決め部材２７を嵌合させる位置決め穴部３１とが形成されている。さらに球止めゴム１１には、緩衝穴部２９が形成され、この緩衝穴部２９は、固定穴部３０および位置決め穴部３１よりも反射部３３側に形成されている。【選択図】      図１
2007312859.tif 000002
【特許請求の範囲】
【請求項１】
遊技球が転動する遊技領域を有する遊技盤に、前記遊技領域へ発射された遊技球を衝突させて減勢するゴム製の球止め部材が設けられているパチンコ遊技機であって、前記球止め部材は、該球止め部材の厚み方向の端面の外形が円弧とＶ字とを組合わせてなる涙滴形状に形成されているとともに、前記厚み方向に延在する前記Ｖ字の頂線から前記円弧に向かって延びる一側面部に遊技球を衝突させるものであるパチンコ遊技機において、
前記球止め部材は、
前記球止め部材を前記遊技盤に固定するための軸状の固定部材を前記厚み方向に挿通させるための固定穴部と、
前記固定部材を回転軸とする回転軸回りの位置を決めるための位置決め部材を前記厚み方向に嵌合させるための位置決め穴部と、
前記固定穴部および前記位置決め穴部よりも前記一側面部寄りに形成されている緩衝穴部とを有することを特徴とするパチンコ遊技機。
【請求項２】
前記遊技盤には、発射された遊技球を前記遊技領域へと案内する円弧状の外レールが設けられ、
前記球止め部材は、前記外レールの内周面に沿って飛送する遊技球を衝突させるものであって、前記Ｖ字の頂線が前記外レールの内周面近傍に位置するように配設されており、
前記遊技球が前記外レールの内周面および前記一側面部の両方に当接した状態において、該当接状態の遊技球と前記外レールの内周面との接点における前記遊技球の接平面に平行であり、かつ前記当接状態の遊技球と前記一側面部との接点を含む仮想的な平面を仮想平面とし、
前記緩衝穴部は、該緩衝穴部によって形成される空間を前記仮想平面が通過するように配置されていることを特徴とする請求項１に記載のパチンコ遊技機。
【請求項３】
前記球止め部材は、前記固定部材および前記位置決め部材が形成されるカバー体を介して前記遊技盤に固定され、
前記緩衝穴部は、球止め部材の厚み方向に貫通する貫通孔部であり、
前記緩衝穴部の遊技者側の開口部は、前記カバー体によって覆われていることを特徴とする請求項１または２記載のパチンコ遊技機。
【発明の詳細な説明】
【技術分野】
【０００１】
本発明は、遊技領域へ発射された遊技球を衝突させて減勢する球止め部材が遊技盤に設けられたパチンコ遊技機に関する。
【背景技術】
【０００２】
従来の技術のパチンコ機の遊技盤には、発射装置から発射された遊技球を遊技領域へと案内する外レールが形成されている。遊技領域において外レールの端部の近傍には、外レールによって案内される遊技球を衝突させて減勢させる球止めゴムが配設されている。球止めゴムは、矩形状に形成され、その一側面部である反射面部が鉛直方向に対して傾斜させて配設されている。球止めゴムは、その内方に空気弾圧部が形成されている。そのため、反射面部に遊技球が衝突すると、球止めゴムの反射面部がたわむ。このように反射面部がたわみので、単に変形する場合に比べて、球止めゴムは遊技球をより減勢して反射させる。また矩形状以外の他の形状として、円盤状の球止めゴムが開示されている。この円盤状の球止めゴムは、複数の貫通孔を形成することによって、空気弾圧部を形成している（たとえば特許文献１参照）。
【０００３】
【特許文献１】特開平８−２４３２１９号公報
【発明の開示】
【発明が解決しようとする課題】
【０００４】
従来の技術の球止めゴムは、矩形状または円盤状に形成されている。矩形状の球止めゴムは、配設するための配設面積が大きい。また円盤状の球止めゴムは、遊技球が円周面部に当たって反射され、円周部の当たる位置によって、反射する方向が異なりばらつきがある。これによって遊技者は、遊技球の軌道を予測するのが困難であり、遊技球を狙い通りの位置に打つために発射レバーの微調整を繰返す必要がある。このような問題点を解消する球止めゴムとして、涙滴形状の球止めゴムが挙げられる。しかしながら空気弾圧部を形成する好適な形状について、前記特許文献１には、矩形状および円盤状以外の形状について記載されておらず、涙滴形状の球止めゴムにおいて、遊技球をより減勢する構成について何ら記載されていない。
【０００５】
本発明の目的は、涙滴形状の球止め部材において、遊技球をより減勢するパチンコ遊技機を提供することである。
【課題を解決するための手段】
【０００６】
本発明は、遊技球が転動する遊技領域を有する遊技盤に、前記遊技領域へ発射された遊技球を衝突させて減勢するゴム製の球止め部材が設けられているパチンコ遊技機であって、前記球止め部材は、該球止め部材の厚み方向の端面の外形が円弧とＶ字とを組合わせてなる涙滴形状に形成されているとともに、前記厚み方向に延在する前記Ｖ字の頂線から前記円弧に向かって延びる一側面部に遊技球を衝突させるものであるパチンコ遊技機において、
前記球止め部材は、
前記球止め部材を前記遊技盤に固定するための軸状の固定部材を前記厚み方向に挿通させるための固定穴部と、
前記固定部材を回転軸とする回転軸回りの位置を決めるための位置決め部材を前記厚み方向に嵌合させるための位置決め穴部と、
前記固定穴部および前記位置決め穴部よりも前記一側面部寄りに形成されている緩衝穴部とを有することを特徴とするパチンコ遊技機である。
【０００７】
また本発明は、前記遊技盤には、発射された遊技球を前記遊技領域へと案内する円弧状の外レールが設けられ、
前記球止め部材は、前記外レールの内周面に沿って飛送する遊技球を衝突させるものであって、前記Ｖ字の頂線が前記外レールの内周面近傍に位置するように配設されており、
前記遊技球が前記外レールの内周面および前記一側面部の両方に当接した状態において、該当接状態の遊技球と前記外レールの内周面との接点における前記遊技球の接平面に平行であり、かつ前記当接状態の遊技球と前記一側面部との接点を含む仮想的な平面を仮想平面とし、
前記緩衝穴部は、該緩衝穴部によって形成される空間を前記仮想平面が通過するように配置されていることを特徴とする。
【０００８】
また本発明は、前記球止め部材は、前記固定部材および前記位置決め部材が形成されるカバー体を介して前記遊技盤に固定され、
前記緩衝穴部は、球止め部材の厚み方向に貫通する貫通孔部であり、
前記緩衝穴部の遊技者側の開口部は、前記カバー体によって覆われていることを特徴とする。
【発明の効果】
【０００９】
本発明によれば、緩衝穴部が固定穴部および位置決め穴部よりも一側面部寄りに形成されているので、一側面部に遊技球が衝突しても、緩衝穴部が一側面部で受ける衝撃力を分散する。これによって一側面部の反発弾性が、小さくなる、つまり一側面部から遊技球に付与される反発力が小さくなる。このように遊技球を減勢する割合が従来の技術の球止め部材より大きくなり、球止め部材によって跳ね返された遊技球が遊技領域内の遊技釘に与える衝撃は、従来の技術の球止め部材より小さく、遊技釘の損傷が抑制される。また緩衝穴部が一側面部で受ける衝撃力を分散するので、繰返し遊技球が球止め部材に衝突しても、固定穴部に挿通される固定部材および位置決め穴部に嵌合される位置決め部材に集中して荷重が作用することを抑制でき、固定部材と位置決め部材とが疲労破壊することを抑制できる。
【００１０】
本発明によれば、球止め部材のＶ字の頂線が外レールの内周面部近傍に位置するように配設されている。さらに緩衝穴部は、遊技球が外レールの内周面および一側面部の両方に当接した状態において、当接状態の遊技球と外レールの内周面との接点における前記遊技球の接平面に平行であり、かつ前記当接状態の遊技球と前記一側面部との接点を含む仮想的な平面である仮想平面が緩衝穴部によって形成される空間を通過するように形成されている。遊技球は、その運動エネルギーが所定以上の強さの場合、外レールに当接した状態で飛送し球止め部材に衝突する。仮想平面が緩衝穴部が形成する空間を通過するように緩衝穴部を形成することによって、前述のような勢いの強い遊技球が球止め部材に衝突したときに、遊技球が飛送する方向に緩衝穴部を介在させることができる。このように飛送する方向に緩衝穴部が介在するので、球止め部材が変形しやすく、その衝撃力をより効率的に分散させる。遊技釘の疲労破壊は、勢いが強い、すなわち運動エネルギーが大きい遊技球が、減勢しきれずに反射し、繰返し遊技釘に衝突することに起因する。仮想平面が緩衝穴部によって形成される穴を通過するように緩衝穴部を形成することで、このような勢いの強い遊技球をより効率的に減勢することができ、より遊技釘の疲労破壊をさらに抑制できる。また緩衝穴部は、位置決め穴部および固定穴部よりも一側面部寄りに形成されているので、勢いの強い遊技球が反射部に衝突しても、衝突によって一側面部に受けた衝撃力が位置決め穴部および固定穴部に達する前に、緩衝穴部によって分散される。これによって衝撃力が一側面部に繰返して作用しても位置決め部材と固定部材とに疲労破壊が生じることを抑制できる。
【００１１】
本発明によれば、衝撃穴部は、その厚み方向に貫通する貫通孔部であり、この緩衝穴部の遊技者側の開口部がカバー体によって被覆される。これによって美観を損ねることなく、球止め部材を遊技盤に固定することが実現できる。
【発明を実施するための最良の形態】
【００１２】
以下、図面を参照しながら本発明を実施するための形態を、複数の形態について説明する。各形態のうち、先行する形態で説明している事項に対応している部分には同一の参照符を付し、重複する説明を略する場合がある。構成の一部のみを説明している場合、構成の他の部分は、先行して説明している形態と同様とする。また実施の各形態で具体的に説明している部分の組合せばかりではなく、特に組合せに支障が生じなければ、実施の形態同士を部分的に組合せることも可能である。
【００１３】
図１は、パチンコ機１０を示す正面図である。図２は、パチンコ機１０に設けられる本発明の実施の第１の形態である球止めゴム１１を図１に示す領域Ｘの範囲で拡大して示す拡大正面図である。図３は、球止めゴム１１およびカバー体１３を示す拡大斜視図である。図４は、球止めゴム１１を示す正面図である。パチンコ遊技機であるパチンコ機１０は、縦長な方形状に枠組みされた外枠１２を有している。外枠１２には、その水平方向一端において開閉可能に軸支された状態で中枠１４が組み付けられている。中枠１４の表側には、遊技盤１５が取り付けられている。また中枠１４の表側には、この遊技盤１５を透視させ保護するためのガラス板を備えたガラス枠１６と、遊技球を保持するための上皿１７を備えた皿板１８とが、中枠１４の水平方向一端部において開閉可能に軸支された状態で組み付けられている。上皿１７の下方には、下皿１９が設けられており、下皿１９の右方には、発射ハンドル２０が突設されている。発射ハンドル２０には、発射レバー２１が回動可能に装着されている。遊技者が発射レバー２１を回動操作することによって、上皿１７に貯留されている遊技球が球送り機構（図示せず）を介して、発射装置（図示せず）に送られ、発射装置によって遊技盤１５に形成される遊技領域２２に向けて発射される。
【００１４】
遊技盤１５は、遊技板１７と、外レール２３と、円弧状のガイドレール２４と、カバー体１３とを備えている。遊技板１７は、その表面部に合成樹脂製のシートが被着されるとともに、円弧状の外レール２３および円弧状のガイドレール２４が固定されている。外レール２３は、ガイドレール２４より大径に形成され、図１の紙面において、下方から左方および上方を通って右上方に至る円弧状に形成されている。外レール２３は、ガイドレール２４と協働して発射装置によって発射される遊技球を遊技領域２２に案内する。カバー体１３は、遊技板１７の表面部に設けられ、その一側面部１３ａが円弧状に形成されている。カバー体１３の一側面部１３ａは、ガイドレール２４とともに円弧状の内レール２５を形成する。外レール２３とガイドレール２４と内レール２５とによって囲まれる領域が遊技領域２２に相当する。
【００１５】
カバー体１３には、発射装置から発射されて外レール２３に案内され、到達する遊技球を減勢する球止めゴム１１が固定されている。カバー体１３は、球止めゴム１１を固定するための円柱状の固定部材２６と球止めゴムを位置決めするための円柱状の位置決め部材２７とが形成されている。
【００１６】
球止め部材である球止めゴム１１は、厚み方向に垂直な仮想平面で切断して見た断面が円弧とＶ字とを組合わせてなる涙滴形状に形成されている。換言すると、球止めゴム１１の厚み方向の端面の外形が涙滴形状に形成されている。球止めゴム１１は、合成ゴムから成る球止めゴム本体２８を有する。球止めゴム本体２８は、球止めゴム本体２８は、涙滴形状に形成され、たとえばゴム硬度３５（ＪＩＳ  Ｋ６２５３）の制振ゴムによって形成される。ただしこのようなゴム硬度のものに限定されず、天然ゴムまたは合成ゴムからなる制振ゴムであればよい。また制振ゴムは、防振ゴムと呼ばれる場合もある。球止めゴム本体２８の厚み方向一表面部には、固定部材２６が挿通される固定穴部３０が形成され、さらに位置決め部材２７を嵌合する位置決め穴部３１が、固定穴部３０の近傍に形成されている。本実施の形態では、固定穴部３０は、円弧の中心軸Ｌ１まわりに形成され、固定穴部３０から球止めゴム本体２８のＶ字の頂線２８ａ寄りに位置決め穴部３１が形成されている。固定穴部３０は、厚み方向に貫通するように形成され、位置決め穴部３１は、厚み方向に凹む凹状に形成されている。
【００１７】
球止めゴム本体２８には、さらに緩衝穴部２９が形成されている。緩衝穴部２９は、その口径が３ｍｍであり、中心軸Ｌ１に平行な中心軸Ｌ２まわりに形成され、前記中心軸Ｌ２方向に貫通する穴部である。緩衝孔部２９は、その内方に形成される貫通孔を仮想平面Ｐ１が通過するように形成されている。仮想平面Ｐ１は、図２および図４に示すように、遊技球３４が外レール２３および反射部３３の両方に当接する状態において、当接状態にある遊技球３４と外レール２３の内周面との接点３４ａにおける遊技球３４の接平面に平行であって、かつ当接状態にある遊技球３４と反射部３３との接点３４ｂを通る仮想的な平面である。反射部３３は、Ｖ字の頂線２８ａから円弧に向かって直線状に延びる２つの側面部のうち一側面部である。またＶ字の頂線２８ａは、球止めゴム本体２８をその厚み方向に垂直な断面で切断して見た複数の断面における各Ｖ字の頂部を結んだ線であり、球止めゴム本体２８の厚み方向に延びる線である。本実施の形態では、前記中心軸Ｌ２は、Ｖ字の頂線２８ａと中心軸Ｌ１とを含む仮想平面に含まれ、緩衝穴部２９は、仮想平面Ｐ１に中心軸Ｌ２が含まれるように形成されている。さらに詳細に説明すると、Ｖ字の部分は、二等辺三角形に形成されており、中心軸Ｌ２は、Ｖ字の頂線２８ａから延びる２側面から等距離Ｔ１の位置に形成されている。このようにして形成される緩衝穴部２９は、位置決め穴部３１より反射部３３側に配設されている。さらに具体的に説明すると、位置決め穴部３１の反射面３２からの距離Ｔ２が距離Ｔ１より大きくなるように形成されている。反射面３２は、Ｖ字の頂線２８ａから円弧に向かって直線状に延びる２つの側面のうち、反射部３３によって形成される側面である。
【００１８】
球止めゴム１１は、固定部材２６を固定穴部３０に挿通することによって、遊技盤に固定され、位置決め部材２７を位置決め穴部３１に嵌合させることによって、固定部材２６を回転軸とする回転軸回りの位置決めをしている。このようにして球止めゴム１１は、カバー体１３の一側面部１３ａの上端１３ｂ付近に位置決めされて固定される。嵌合には、緩やかな嵌め合い、および緊密な嵌め合いを含む。これによって球止めゴム１１は、遊技盤１５に固定され、外レール２３の内周部の近傍に設けられる。外レール２３の内周面部の近傍には、外レール２３の内周面部付近だけでなく、外レール２３の内周面部当接することも含む。本実施の形態では、球止めゴム１１は、外レール２３の端部に当接するように設けられている。このようにして設けられている球止めゴム１１は、遊技盤１５に固定された状態で、反射面３２が遊技領域２２に臨み、かつ反射面３２が鉛直方向に位置するようにカバー体１３に固定される。さらに球止めゴム１１は、カバー体１３から反射部３３が露出し、かつ緩衝穴部２９の遊技者のに開口部２９ａがカバー体１３から外方に露出しないように、カバー体１３に配設されている。
【００１９】
さらに遊技領域２２には、液晶表示器３５、始動入賞装置３６および特別可変入賞装置３７が設けられている。本実施の形態では、遊技領域２２の中央部に液晶表示器３５が配設され、この液晶表示器３５の下方に始動入賞装置３６が配設されている。さらに始動入賞装置３６から図１の紙面に向かって右側に特別可変入賞装置３７が配設されている。さらに遊技領域２２には、多数の遊技釘３８および風車３９が設けられている。
【００２０】
始動入賞装置３６の入賞口に遊技球３４が入る、つまり入賞すると、液晶表示器３５の表示画面において、複数の図柄の変動表示が開始され、それら複数の図柄の変動表示が所定時間行われる。複数の図柄が特定の停止表示態様で停止表示されると、それまで特別可変入賞装置３７の入賞口を塞いでいた扉４０が予め定められた作動条件に従って、開閉作動する。扉４０が開くことによって特別可変入賞装置３７の入賞口が開放されて、特別可変入賞装置３７への遊技球３４の入賞が可能となる。これによって遊技者は、特別可変入賞装置３７に向けて遊技球３４を発射し、遊技球３４を特別可変入賞装置３７に入賞させる特典遊技を行うことが可能となる。特典遊技のとき、特別可変入賞装置３７に向けて遊技球３４を発射するために、遊技者は発射レバー２１の大きく回動させる強打ち、いわゆる右打ちを行う。このようにして発射された遊技球３４が遊技領域２２の右側の領域で落下し、特別可変入賞装置３７の扉４０が開いている状態で、特別可変入賞装置３７に入賞することによって、遊技者は、通常の遊技では得ることが出来ない利益（賞球）を得ることが可能となる。
【００２１】
このように特典遊技のとき、遊技者が右打ちをするために発射レバー２１を大きく回動させ、その角変位量が所定の大きさに達すると、発射装置によって発射される遊技球３４は、外レール２３によって案内されながら遊技領域に飛送され、球止めゴム１１の反射部３３に衝突する。そして、反射部３３に衝突する遊技球３４は、反射部３３を変形させる。その後反射部３３は、復帰するときに、反発力を遊技球３４に付与し、遊技球３４を跳ね返す。このとき緩衝穴部２９によって、反射部３３が遊技球３４から受けた衝撃力は分散する。このように衝撃力を分散することによって、反射部３３の反発弾性が小さくなり、反射部３３が遊技球３４に付与する反発力は低減する。これによって遊技球３４が減勢される。外レール２３に当接しながら飛送する遊技球３４は、その勢いが強い。このような勢いが強い遊技球３４が反射部３３に衝突しても、緩衝穴部２９が仮想平面Ｐ１上にある、つまり遊技球３４が飛送する方向に緩衝穴部２９に形成されているので、衝突時の衝撃力をより効率よく分散することができる。さらに詳細に説明すると、外レール２３に当接しながら飛送する遊技球３４が反射部３３で衝突する位置（接点３４ｂ）から前記遊技球３４が飛送する方向に延長した延長線は、仮想平面Ｐ１に含まれる。換言すると、接点３４ｂから遊技球３４が飛送する方向に緩衝穴部２９が形成されている。これによって衝撃力が作用する方向に緩衝穴部２９がより変形しやすく、より衝撃力を分散することができる。これによって遊技釘３８の疲労破壊の起因と成りうる遊技球３４の減勢不足を解消し、球止めゴム１１は、充分に減勢して遊技球３４を反射することができる。このようにして反射された遊技球３４は、球止めゴム１１の近傍に配設される遊技釘３８に衝突して下方に落下せしめられ、前述のように扉４０が開いている場合、特別可変入賞装置３７に入賞させることができる。
【００２２】
このような構成を有する球止めゴム１１が奏する効果について、以下に説明する。本実施の形態の球止めゴム１１によれば、緩衝穴部２９が固定穴部３０および位置決め穴部３１よりも反射部３３側に形成されているので、反射部３３に遊技球３４が衝突しても、緩衝穴部２９が反射部３３で受ける衝撃力を分散する。これによって反射部３３の反発弾性が、小さくなる、つまり反射部３３から遊技球３４に付与される反発力が小さくなる。このように遊技球３４を減勢する割合が従来の技術の球止めゴムより大きくなり、球止めゴム１１によって跳ね返された遊技球３４が遊技領域２２内の遊技釘３８に与える衝撃は、従来の技術の球止めゴムより小さく、遊技釘３８の損傷が抑制される。また緩衝穴部２９が反射部３３で受ける衝撃力を分散するので、繰返し遊技球３４が球止めゴム１１に衝突しても、固定穴部３０に挿通される固定部材２６および位置決め穴部３１に嵌合される位置決め部材２７に集中して荷重が作用することを抑制でき、固定部材２６と位置決め孔部３１とが疲労破壊することを抑制できる。
【００２３】
本実施の形態の球止めゴム１１によれば、Ｖ字の頂線２８ａが外レール２３の内周面部の近傍に位置するように配設されている。さらに緩衝穴部２９は、遊技球３４が外レール２３の内周面および反射部３３の両方に当接した状態において、当接状態の遊技球３４と外レール２３の内周面との接点３４ａにおける当接状態の遊技球３４の接平面に平行であり、かつ当接状態の遊技球３４と反射部３３との接点３４ｂを含む仮想的な平面である仮想平面Ｐ１が緩衝穴部２９によって形成される空間を通過するように形成されている。遊技球３４は、その運動エネルギーが所定以上の強さの場合、外レール２３に当接した状態で飛送さし球止めゴム１１に衝突する。仮想平面Ｐ１が緩衝穴部２９が形成する空間を通過するように緩衝穴部２９を形成することによって、前述のような勢いの強い遊技球３４が球止めゴム１１に衝突したとき、遊技球３４が飛送する方向に緩衝穴部２９が介在する。このように飛送する方向に緩衝穴部２９が介在するので、球止めゴム１１が変形しやすく、その衝撃力をより効率的に分散させる。遊技釘３８の疲労破壊は、勢いが強い、すなわち運動エネルギーが大きい遊技球３４が、減勢しきれずに反射し、繰返し遊技釘３８に衝突することに起因する。仮想平面Ｐ１が緩衝穴部２９によって形成される空間を通過するように緩衝穴部２９に形成することで、このような勢いの強い遊技球３４をより効率的に減勢することができ、より遊技釘３８の疲労破壊をさらに抑制できる。また緩衝穴部２９は、位置決め穴部３１および固定穴部３０よりも反射部３３寄りに形成されているので、勢いが強い遊技球３４が反射部３３に衝突しても、衝突することによって受けた衝撃力が位置決め穴部３１および固定穴部３０に達する前に、緩衝穴部２９によって分散される。これによって衝撃力が反射部３３に繰返して作用しても、固定部材２６および位置決め部材２７とに疲労破壊が生じることを抑制できる。
【００２４】
本実施の形態の球止めゴム１１によれば、衝撃穴部２９は、その厚み方向に貫通する貫通孔部であり、この緩衝穴部２９の遊技者側の開口部２９ａがカバー体１３によって被覆される。これによって美観を損ねることなく、球止めゴム１１を遊技盤１５に固定することが実現できる。
【００２５】
本実施の形態の球止めゴム１１によれば、緩衝穴部２９を形成することによって、球止めゴム１１全体の剛性を維持しつつ、遊技球３４の減勢を効率よく行うことができる。
【００２６】
図５は、実施の第２の形態の球止め体１１Ａを示す正面図である。実施の第２の形態の球止め体１１Ａは、実施の第１の形態の球止めゴム１１と構成が類似している。球止めゴム１１Ａについて、実施の第１の形態の球止めゴム１１と異なる構成についてだけ説明し、同一の構成については、同一の符号を付してその説明を省略する。球止め体１１Ａは、球止めゴム本体２８を有し、この球止めゴム本体２８に、緩衝穴部２９Ａと、固定穴部３０と、位置決め穴部３１とが形成されている。緩衝穴部２９Ａは、反射面３２に平行に形成されている。緩衝穴部２９Ａは、その長手方向一端２９ｂが仮想平面Ｐ１と交差するように形成され、長手方向他端２９ｃが円弧の端部近傍に形成されている。これによって緩衝穴部２９Ａと反射面３２との間に反射層３３Ａが形成される。この反射層３３Ａに遊技球３４が衝突すると、反射層３３Ａが図５の２点鎖線に示すように、緩衝穴部２９に向かって突条に湾曲するように変形する。このように反射層３３Ａが変形することによって、遊技球３４から受ける衝撃力を分散させ、遊技球３４を減勢させて反射させる。
【００２７】
実施の第２の形態の球止めゴム１１Ａは、実施の第１の形態の球止めゴム１１と同様の作用効果を奏する。さらに緩衝穴部２９Ａは、反射面３２に対して離反する位置において、緩衝穴部２９より広範囲で減勢することができる。またこのように緩衝穴部２９Ａを形成しても、球止めゴム１１Ａが涙滴形状であるので、球止めゴム１１Ａ全体の反射面３２に垂直な方向の厚みが薄くなることがなく、球止めゴム１１Ａの剛性を維持しつつ、遊技球３４の減勢ができる。
【００２８】
本実施の形態では、緩衝穴部２９Ａは、その長手方向一端２９ｂが仮想平面Ｐ１と交差するように形成されているけれども、必ずしもこのような位置に限定されない。たとえば緩衝穴部２９Ａの長手方向一端２９ｂは、仮想平面Ｐ１よりＶ字の頂線２８ａ側に延びて形成されてもよい。また、緩衝穴部２９Ａの長手方向他端２９ｃは、円弧の端部よりさらに円弧側に延びて形成されてもよい。これによって遊技球３４が外レール２３に当接する状態で、球止めゴム１１に衝突する場合、反射部３３の変形をより許容することができ、遊技球３４をさらに減勢することができる。
【図面の簡単な説明】
【００２９】
【図１】パチンコ機１０を示す正面図である。
【図２】パチンコ機１０に設けられる本発明の実施の第１の形態である球止めゴム１１を拡大して示す拡大正面図である。
【図３】球止めゴム１１およびカバー体１３を示す拡大斜視図である。
【図４】球止めゴム１１を示す正面図である。
【図５】実施の第２の形態の球止め体１１Ａを示す正面図である。
【符号の説明】
【００３０】
１１  球止めゴム、  １３  カバー体、  １５  遊技盤、  ２２  遊技領域、  ２３  外レール、  ２６  固定部材、  ２７  位置決め部材、  ２９  緩衝穴部、  ３０  固定穴部、  ３１  位置決め穴部、  ３３  反射部、  ３４  遊技球
【図１】
2007312859.tif 000003
【図２】
2007312859.tif 000004
【図３】
2007312859.tif 000005
【図４】
2007312859.tif 000006
【図５】
2007312859.tif 000007